(57)【要約】【課題】互いにモードが異なる複数の通信信号に対し柔軟に対応して処理することを可能にする。【解決手段】信号処理回路６において、各通信モードごとの専用変調回路の共通部分を１つの変調回路６１に集積化し、また各通信モードごとの専用復調回路の共通部分を１つの復調回路６２に集積化し、通信モードにより異なる部分を個別に設け、通信モードに応じたパラメータ情報の設定だけで異なる部分の選定を行えるように構成し、希望の通信モードを実行する際に、制御回路にてその通信モードに対応するパラメータ情報を信号処理回路６にセットして任意の通信モードの処理を実行させるようにした。【選択図】    図２
2004260481.tif 000002
【特許請求の範囲】
【請求項１】
通信信号の処理内容を特定するパラメータ情報を通信モードごとに格納するパラメータ情報格納部と、
互いに通信モードが異なる複数の信号処理回路から共通の部分を抽出し、該通信モードにより異なる部分を個別に設けるものであって、前記パラメータ情報が選択的にセットされ、前記通信信号を入力して、セットされたパラメータ情報による信号処理を実行する通信信号処理部と、
要求される通信モードに応じて、前記パラメータ情報格納部から選択的にパラメータ情報を読み出し、このパラメータ情報を前記通信信号処理部にセットし、当該通信信号処理部にセットしたパラメータ情報に基づいて前記通信信号を処理させる制御部とを具備したことを特徴とする通信装置。
【請求項２】
前記パラメータ情報は、変調方法、送信周波数、受信周波数、送信データレート、受信データレート、送信フィルタ係数、受信フィルタ係数のうち少なくとも一つを特定することを特徴とする請求項１記載の通信装置。
【請求項３】
前記通信信号処理部は、前記複数の信号処理回路の共通部分を集積化した１つの共通回路と、前記パラメータ情報の入力回路とにより構成されることを特徴とする請求項１記載の通信装置。
【発明の詳細な説明】
【０００１】
【発明の属する技術分野】
この発明は、自動車等の移動体を対象とした無線通信システムに用いられ、通信モードごとに異なる信号処理を実行する通信装置に関する。
【０００２】
【従来の技術】
近年、自動車向けのサービスにあっては、ＧＰＳ（Ｇｌｏｂａｌ  Ｐｏｓｉｔｉｏｎｉｎｇ  Ｓｙｓｔｅｍ）衛星を利用したナビゲーションサービスに加え、例えばＥＴＣ（Ｅｌｅｃｔｒｏｎｉｃ  Ｔｏｌｌ  Ｃｏｌｌｅｃｔｉｏｎ）のように有料道路の料金徴収を自動化するサービスも開始されている。また、現在のＡＭ，ＦＭ放送以外に、近時、移動体向けのデジタル放送の開始も予定されている。
【０００３】
ところで、今後、多種多様なサービスが提供されることになると、各サービスを利用するためには、サービス毎の専用装置を購入し、装着しなければならず、多くの手間と費用がかかってしまうことになる。
【０００４】
また、希望するサービスの数が増えると、自動車内においてサービス数分の専用装置の設置スペースが必要となる。このため、スペース上の制約により専用装置を実装できなかったりし、ユーザの利便性に著しい不都合が生じることになる。
そこで、近時では、各放送・通信サービスに対応する複数の変復調回路を組み込むことで、任意の放送・通信サービスが受けられる通信装置が提案されている。
【０００５】
【発明が解決しようとする課題】
上記通信装置は、複数の放送・通信サービスを１台で享受できるため、スペース対効果が高いという利点がある。しかしながら、新たなサービスの追加があった場合に、新たなサービスに対応する変復調回路を組み込まなければならないため、インタフェース構成の設計変更等が余儀なくされる。また、同じサービスであっても、通信モードが異なる場合があり、通信モード数分の変復調回路が必要となる。このため、回路規模、コスト及び消費電力が大幅に増大してしまうという不具合がある。
【０００６】
そこで、この発明の目的は、互いにモードが異なる複数の通信信号に対し柔軟に対応して処理することが可能で、しかも小型化、低コスト化及び低消費電力化を実現可能な通信装置を提供することにある。
【０００７】
【課題を解決するための手段】
この発明に係る通信装置は、上記目的を達成するために、以下のように構成される。
（１）通信信号の処理内容を特定するパラメータ情報を通信モードごとに格納するパラメータ情報格納部と、互いに通信モードが異なる複数の信号処理回路から共通の部分を抽出し、該通信モードにより異なる部分を個別に設けるものであって、パラメータ情報が選択的にセットされ、通信信号を入力して、セットされたパラメータ情報による信号処理を実行する通信信号処理部と、要求される通信モードに応じて、パラメータ情報格納部から選択的にパラメータ情報を読み出し、このパラメータ情報を前記通信信号処理部にセットし、当該通信信号処理部にセットしたパラメータ情報に基づいて前記通信信号を処理させる制御部とを備えるようにしたものである。
【０００８】
（１）の構成では、通信信号処理部を互いに通信モードが異なる複数の信号処理回路から共通の部分を抽出し、通信モードにより異なる部分を個別に設けて、通信モードに応じたパラメータ情報の設定だけで異なる部分の選定を行えるようにしたものである。すなわち、希望の通信モードを実行する際に、その通信モードに対応するパラメータ情報がパラメータ情報格納部から読み出され、このパラメータ情報が通信信号処理部にセットされることで任意の通信モードの処理が実行されることになる。
【０００９】
従って、各モードに応じた専用の信号処理回路を組み込む必要がなくなるため、その分小型化及び低コスト化を図ることができ、また通信モードの切替処理に際し、制御部は通信信号処理部に対し通信モードに応じた通信信号の処理内容を特定するためのパラメータ情報を制御情報として送信するだけでよいことになり、これにより任意の通信モードを実現する回路情報を設定する場合に比べ、簡単かつ短時間にモード変更を行うことができる。
【００１０】
（２）通信信号処理部は、前記複数の信号処理回路の共通部分を集積化した１つの共通回路と、前記パラメータ情報の入力回路とにより構成されることを特徴とする。
（２）の構成によれば、集積化によって装置全体の小型化及び低消費電力化を図ることができる。
【００１１】
【発明の実施の形態】
以下、この発明の実施形態について図面を参照して詳細に説明する。
図１は、この発明の一実施形態に係わる通信装置の機能構成を示すブロック図である。この通信装置には、例えばＥＴＣ用アンテナ１、ＦＭ／ＡＭラジオ用アンテナ２及びＧＰＳ用アンテナ３を備えている。
【００１２】
外部から到来した無線周波信号は、ＥＴＣ用アンテナ１、ＦＭ／ＡＭラジオ用アンテナ２及びＧＰＳ用アンテナ３のうち少なくとも１つで受信されたのち、無線回路４により中間周波信号あるいはベースバンド信号に周波数変換される。
【００１３】
上記受信中間周波信号またはベースバンド信号は、Ａ／Ｄ（アナログ／デジタル）変換回路５でデジタル信号に変換された後、信号処理回路６に入力される。信号処理回路６は、制御回路７による制御に基づき、入力された受信中間周波信号またはベースバンド信号を処理する。
【００１４】
制御回路７は、メモリ８に格納されたプログラムに基づいて通信装置全体の統括制御機能を実行するもので、その制御機能として、発着信に応じて無線接続制御を実行して、データ通信を可能にする通信制御機能や、システム選択制御機能、位置登録制御機能等を有している。
【００１５】
一方、データ送信時に、信号処理回路６は、送信すべきデジタルデータをＡ／Ｄ変換回路５に供給する。Ａ／Ｄ変換回路６は、デジタルデータを送信信号に変換し、この送信信号を無線回路４へ出力する。
【００１６】
無線回路４は、入力された送信信号を無線周波信号に変換する。そして、無線回路４は、制御回路７により通知される送信データレートに基づいて、上記無線周波信号の有効部分だけを高周波増幅し、送信無線周波信号として出力する。この無線回路４から出力された送信無線周波信号は、ＥＴＣ用アンテナ１を介して送信される。
【００１７】
操作部９には、ダイヤルキーや電源キー、終了キー、音量調節キー、モード指定キー等のキー群が設けられている。
【００１８】
ところで、この実施形態では、メモリ８に互いに異なる複数の放送・通信サービス機能に対応した通信信号の処理内容を特定するパラメータ情報が、通信モードごとに記憶されている。このパラメータ情報としては、変調方法、送信周波数、受信周波数、送信データレート、受信データレート、送信フィルタ係数、受信フィルタ係数等がある。
【００１９】
そして、制御回路７は、操作部９からのユーザによる指定操作により要求される通信モードに応じて、メモリ８から対応するパラメータ情報を読み出し、このパラメータ情報を信号処理回路６にセットする。
【００２０】
図２は、上記信号処理回路６の具体的構成を示すブロック図である。
この信号処理回路６は、各通信モードごとの専用変調回路の共通部分を１つの変調回路６１に集積化し、各通信モードごとの専用復調回路の共通部分を１つの復調回路６２に集積化したものである。また、この信号処理回路６には、制御回路７からのパラメータ情報を入力し、このパラメータ情報を変調回路６１及び復調回路６２に供給するパラメータ回路６３が設けられている。
【００２１】
変調回路６１は、入力された送信データに対し、パラメータ回路６３からのパラメータ情報に従った送信データレートで変調処理を施す。また、復調回路６２は、入力されたデジタルベースバンド信号に対し、パラメータ回路６３からのパラメータ情報に従った受信データレートで復調処理を施す。
【００２２】
上記構成において、以下にその処理動作を説明する。
まず、各サービスに対応する通信信号では、変調方式、送信周波数、受信周波数、送信データレート、受信データレート、送信フィルタ係数、受信フィルタ係数それぞれについてパラメータにより複数のモードが規定されている。
【００２３】
操作部９によりＥＴＣの使用要求が入力されると、制御回路７はメモリ８から対応するパラメータ情報を読み出し、このパラメータ情報を信号処理回路６に出力する。このパラメータ情報には、ＥＴＣ信号の送信周波数ｆｔ１，受信周波数ｆｒ１，送信データレートａ１，受信データレートｂ１，変調方式Ｘ，送信フィルタ係数ｃ１，受信フィルタ係数ｄ１を表す情報が含まれている。
【００２４】
信号処理回路６は、パラメータ情報を受信すると、このパラメータ情報を変調回路６１及び復調回路６２に設定して該パラメータ情報に応じたモードで変調処理及び復調処理を実行させる。
【００２５】
一方、ＥＴＣの実行状態でＦＭラジオへの切替が発生すると、制御回路７はメモリ８から切替先となるＦＭラジオに対応するパラメータ情報を読み出し、このパラメータ情報を信号処理回路６に出力する。この切替先のパラメータ情報には、ＦＭラジオ信号の受信周波数ｆｒ２，受信データレートｂ２，変調方式Ｙ，受信フィルタ係数ｄ２を表す情報が含まれている。
【００２６】
信号処理回路６は、切替先に対応するパラメータ情報を受信すると、復調回路６２に既に設定されているパラメータ情報を切替先のパラメータ情報に更新し、この更新したパラメータ情報に応じたモードで復調処理を実行させる。すなわち、復調回路６２に設定されたパラメータ情報を、受信周波数「ｆｒ１」から「ｆｒ２」、受信データレート「ｂ１」から「ｂ２」、変調方式「Ｘ」から「Ｙ」、受信フィルタ係数「ｄ１」から「ｄ２」にそれぞれ更新する。
【００２７】
以上述べたように上記実施形態では、信号処理回路６を互いに通信モードが異なる複数の変復調回路から共通の部分を抽出し、通信モードにより異なる部分を個別に設けて、通信モードに応じたパラメータ情報の設定だけで異なる部分の選定を行えるように構成し、希望の通信モードを実行する際に、制御回路７にてその通信モードに対応するパラメータ情報がメモリ８から読み出され、このパラメータ情報が信号処理回路６にセットされることで任意の通信モードの処理が実行されることになる。
【００２８】
従って、各モードに応じた専用の信号処理回路を組み込む必要がなくなるため、その分小型化及び低コスト化を図ることができ、また通信モードの切替処理に際し、制御回路７は信号処理回路６に対し通信モードに応じたパラメータ情報を送信するだけでよいことになり、これにより任意の通信モードを実現する回路情報を設定する場合に比べ、簡単かつ短時間にモード変更を行うことができる。さらに、パラメータ情報のみの伝送は、回路情報全体を伝送する場合に比べ、回路の内部情報の秘匿に有効となる。
【００２９】
また、上記実施形態では、信号処理回路６において、各通信モードごとの専用変調回路の共通部分を１つの変調回路６１に集積化し、また各通信モードごとの専用復調回路の共通部分を１つの復調回路６２に集積化し、これら変調回路６１及び復調回路６２に通信モードに対応するパラメータ情報が設定されることにより任意の通信モードの変調及び復調が可能となるので、装置全体の小型化及び低消費電力化を図ることができる。
【００３０】
また、将来、新たな通信モードを要求する放送・通信サービスが出現したとしても、それに対応するパラメータ情報をメモリ８に登録するだけで容易に対応可能となる。
【００３１】
なお、この発明は上記実施形態の範囲に限定されるものではない。例えば、上記実施形態では、変調方法、送信周波数、受信周波数、送信データレート、受信データレート、送信フィルタ係数、受信フィルタ係数それぞれについてパラメータにより複数のモードが規定された通信信号を取り扱う例について説明したが、これら変調方法、送信周波数、受信周波数、送信データレート、受信データレート、送信フィルタ係数、受信フィルタ係数以外に、複数のモードが規定された通信信号を取り扱うようにしてもよい。この場合、パラメータの指定を変更するのみでモード変更を行うことができる。
【００３２】
また、上記実施形態では、信号処理回路６として、変調回路６１、復調回路６２及びパラメータ入力回路６３により構成される例について説明したが、変調回路６１及び復調回路６２以外の信号処理回路を用いるようにしてもよい。
【００３３】
その他、通信装置の構成や種類、パラメータの種類、信号処理回路の構成、サービスの種類等についても、この発明の要旨を逸脱しない範囲で種々変形して実施できる。
【００３４】
【発明の効果】
以上詳述したようにこの発明によれば、互いにモードが異なる複数の通信信号に対し柔軟に対応して処理することが可能で、しかも小型化、低コスト化及び低消費電力化を実現可能な通信装置を提供することができる。
【図面の簡単な説明】
【図１】この発明の一実施形態に係わる通信装置の構成を示すブロック図。
【図２】図１に示した信号処理回路の具体的構成を示すブロック図。
【符号の説明】
１…ＥＴＣ用アンテナ、
２…ＦＭ／ＡＭラジオ用アンテナ、
３…ＧＰＳ用アンテナ、
４…無線回路、
５…Ａ／Ｄ（アナログ／デジタル）変換回路、
６…信号処理回路、
７…制御回路、
８…メモリ、
９…操作部、
６１…変調回路、
６２…復調回路、
６３…パラメータ回路。
【図１】
2004260481.tif 000003
【図２】
2004260481.tif 000004